【手続補正書】
【提出日】平成23年10月4日(2011.10.4)
【手続補正１】
【補正対象書類名】明細書
【補正対象項目名】００１０
【補正方法】変更
【補正の内容】
【００１０】
上記目的を達成するため、本発明の第１の観点に係る駆動回路アレイ基板は、
基板上に形成された第１の方向に延在された複数の制御信号配線と、
前記基板上に形成され、第１の方向と異なる第２の方向に延在された複数の階調信号配線と、
前記基板上に形成され、前記各制御信号配線と前記各階調信号配線の交点近傍に配列された複数の画素と、
前記基板上に形成された駆動素子検査回路と、
を備え、
前記各画素は、駆動素子と、電流路の一端が前記駆動素子の電流路の一端と接続され且つ前記電流路の他端が前記階調信号配線と接続される選択素子と、を有する駆動回路を備え、
前記駆動素子検査回路は、前記複数の階調信号配線の各々に接続される複数の検査配線と、電圧源又は電流源を有する外部回路が接続可能にされた給電配線と、電流路の一端が前記各検査配線と接続され且つ前記電流路の他端が前記給電配線と接続された複数の読取スイッチと、前記各読取スイッチを選択する検査配線選択回路と、を有し、
前記給電配線が前記外部回路に接続されたとき、前記検査配線選択回路は前記複数の読取スイッチの何れかを選択し、前記外部回路から、前記給電配線と、前記選択された前記読取スイッチと、前記検査配線と、前記階調信号配線と、を介して、前記駆動素子の電流路に電流を流すことを特徴とする。
【手続補正２】
【補正対象書類名】明細書
【補正対象項目名】００１１
【補正方法】変更
【補正の内容】
【００１１】
前記各画素は、前記駆動素子から電流が供給されたときに発光する発光素子を備え、
前記駆動回路アレイ基板は、前記基板上に形成された発光検査回路を更に備え、
前記発光素子検査回路は、前記複数の階調信号配線の各々に接続される複数の第１配線と、前記外部回路の前記電圧源又は前記電流源と接続可能にされた第２配線と、前記外部回路の前記電圧源と接続可能とされた第３配線と、電流路の一端が前記第１配線と接続され且つ前記電流路の他端が前記第２配線と接続された出力制御スイッチと、を有し、
前記第２配線が前記外部回路の前記電圧源又は前記電流源と接続され、前記第３配線が前記外部回路の前記電圧源と接続されたとき、前記外部回路から、前記第２配線と、前記出力制御スイッチと、前記検査配線と、前記階調信号配線と、を介して前記駆動素子の電流路に電流を流し、前記発光素子を発光させる。
【手続補正３】
【補正対象書類名】明細書
【補正対象項目名】００１２
【補正方法】変更
【補正の内容】
【００１２】
前記第１の方向に沿って形成された前記各画素は、前記発光素子の発光色が、互いに異なる複数の発光色の何れかを有し、
前記第２の配線及び前記第３の配線は、前記発光素子の発光色毎に設けられている。
【手続補正４】
【補正対象書類名】明細書
【補正対象項目名】００１４
【補正方法】変更
【補正の内容】
【００１４】
上記目的を達成するため、本発明の第２の観点に係る駆動回路アレイ基板は、
基板上に形成された第１の方向に延在された複数の制御信号配線と、
前記基板上に形成され、第１の方向と異なる第２の方向に延在された複数の階調信号配線と、
前記基板上に形成され、駆動素子と、電流路の一端が前記階調信号配線と接続され且つ前記電流路の他端が前記駆動素子のゲートと接続される選択素子と、を有する駆動回路と、前記駆動素子を駆動させると発光する発光素子と、を有し、前記各制御信号配線と前記各階調信号配線の交点近傍に配列された複数の画素と、
前記基板上に形成された駆動素子検査回路と、
前記基板上に形成された発光素子検査回路と、
を備え、
前記駆動素子検査回路は、前記複数の階調信号配線の各々に接続される複数の検査配線と、電圧源又は電流源を有する外部回路が接続可能にされた給電配線と、電流路の一端が前記各検査配線と接続され且つ前記電流路の他端が前記給電配線と接続された複数の読取スイッチと、前記各読取スイッチを選択する検査配線選択回路と、を有し、
前記発光素子検査回路は、前記複数の階調信号配線の各々に接続される複数の第１配線と、前記外部回路の電圧源又は前記電流源と接続可能にされた第２配線と、前記外部回路の前記電圧源と接続可能にされた第３配線と、電流路の一端が前記第１配線と接続され且つ前記電流路の他端が前記第２配線と接続された出力制御スイッチと、を有し、
前記給電配線が前記外部回路に接続されたとき、前記検査配線選択回路は前記複数の読取スイッチの何れかを選択し、前記外部回路から、前記給電配線と、前記選択された前記読取スイッチと、前記検査配線と、前記階調信号配線と、を介して、前記駆動素子の電流路に電流を流し、
前記第２配線が前記外部回路の前記電圧源又は前記電流源と接続され、前記第３配線が前記外部回路の前記電圧源と接続されたとき、前記外部回路から、前記第２配線と、前記出力制御スイッチと、前記検査配線と、前記階調信号配線と、を介して前記駆動素子の電流路に電流を流して、発光素子を発光させることを特徴とする。
【手続補正５】
【補正対象書類名】明細書
【補正対象項目名】００１５
【補正方法】変更
【補正の内容】
【００１５】
上記目的を達成するため、本発明の第３の観点に係る駆動回路アレイ基板の検査方法は、
基板上に形成された第１の方向に延在された複数の制御信号配線と、
前記基板上に形成され、第１の方向と異なる第２の方向に延在された複数の階調信号配線と、
前記基板上に形成され、前記各制御信号配線と前記各階調信号配線の交点近傍に配列された複数の画素と、
前記基板上に形成された検査回路と、
を備え、
前記各画素は、駆動素子と、電流路の一端が前記駆動素子の電流路の一端と接続され且つ前記電流路の他端が前記階調信号配線と接続される選択素子と、を有する駆動回路を備え、
前記検査回路は、前記複数の階調信号配線の各々に接続される複数の検査配線と、電圧源又は電流源を有する外部回路が接続可能にされた給電配線と、電流路の一端が前記各検査配線と接続され且つ前記電流路の他端が前記給電配線と接続された複数の読取スイッチと、前記各読取スイッチを順次選択する検査配線選択回路と、を有し、
前記外部回路を前記給電配線に接続して、前記検査配線選択回路により前記複数の読取スイッチの何れかを選択し、
前記外部回路から、前記給電配線と、前記選択された前記読取スイッチと、前記検査配線と、前記階調信号配線と、を介して、前記駆動素子の電流路に電流を流し、
前記外部回路において前記給電配線に流れる電流の電流値又は前記給電配線の電圧の電圧値を計測して、前記駆動素子の電気的特性を検査する特性検査工程を含むことを特徴とする。
前記各画素は、前記駆動素子から電流が供給されたときに発光する発光素子を備え、
前記第２配線を前記外部回路の前記電圧源又は前記電流源と接続し、
前記第３配線を前記外部回路の前記電圧源と接続し、
前記外部回路から、前記第２配線と、前記出力制御スイッチと、前記検査配線と、前記階調信号配線と、を介して前記駆動素子の電流路に電流を流して前記発光素子を発光させて、前記各画素の前記発光素子の発光特性を検査する点灯検査工程を含む。
【手続補正６】
【補正対象書類名】特許請求の範囲
【補正対象項目名】全文
【補正方法】変更
【補正の内容】
【特許請求の範囲】
【請求項１】
基板上に形成された第１の方向に延在された複数の制御信号配線と、
前記基板上に形成され、第１の方向と異なる第２の方向に延在された複数の階調信号配線と、
前記基板上に形成され、前記各制御信号配線と前記各階調信号配線の交点近傍に配列された複数の画素と、
前記基板上に形成された駆動素子検査回路と、
を備え、
前記各画素は、駆動素子と、電流路の一端が前記駆動素子の電流路の一端と接続され且つ前記電流路の他端が前記階調信号配線と接続される選択素子と、を有する駆動回路を備え、
前記駆動素子検査回路は、前記複数の階調信号配線の各々に接続される複数の検査配線と、電圧源又は電流源を有する外部回路が接続可能にされた給電配線と、電流路の一端が前記各検査配線と接続され且つ前記電流路の他端が前記給電配線と接続された複数の読取スイッチと、前記各読取スイッチを選択する検査配線選択回路と、を有し、
前記給電配線が前記外部回路に接続されたとき、前記検査配線選択回路は前記複数の読取スイッチの何れかを選択し、前記外部回路から、前記給電配線と、前記選択された前記読取スイッチと、前記検査配線と、前記階調信号配線と、を介して、前記駆動素子の電流路に電流を流すことを特徴とする駆動回路アレイ基板。
【請求項２】
前記各画素は、前記駆動素子から電流が供給されたときに発光する発光素子を備え、
前記駆動回路アレイ基板は、前記基板上に形成された発光検査回路を更に備え、
前記発光素子検査回路は、前記複数の階調信号配線の各々に接続される複数の第１配線と、前記外部回路の前記電圧源又は前記電流源と接続可能にされた第２配線と、前記外部回路の前記電圧源と接続可能とされた第３配線と、電流路の一端が前記第１配線と接続され且つ前記電流路の他端が前記第２配線と接続された出力制御スイッチと、を有し、
前記第２配線が前記外部回路の前記電圧源又は前記電流源と接続され、前記第３配線が前記外部回路の前記電圧源と接続されたとき、前記外部回路から、前記第２配線と、前記出力制御スイッチと、前記検査配線と、前記階調信号配線と、を介して前記駆動素子の電流路に電流を流し、前記発光素子を発光させることを特徴とする請求項１に記載の駆動回路アレイ基板。
【請求項３】
前記第１の方向に沿って形成された前記各画素は、前記発光素子の発光色が、互いに異なる複数の発光色の何れかを有し、
前記第２の配線及び前記第３の配線は、前記発光素子の発光色毎に設けられていることを特徴とする請求項２に記載の駆動回路アレイ基板。
【請求項４】
前記制御信号配線に接続され、前記選択素子に制御信号を送信する制御信号供給回路を備えることを特徴とする請求項１乃至３のいずれか１項に記載の駆動回路アレイ基板。
【請求項５】
基板上に形成された第１の方向に延在された複数の制御信号配線と、
前記基板上に形成され、第１の方向と異なる第２の方向に延在された複数の階調信号配線と、
前記基板上に形成され、駆動素子と、電流路の一端が前記階調信号配線と接続され且つ前記電流路の他端が前記駆動素子のゲートと接続される選択素子と、を有する駆動回路と、前記駆動素子を駆動させると発光する発光素子と、を有し、前記各制御信号配線と前記各階調信号配線の交点近傍に配列された複数の画素と、
前記基板上に形成された駆動素子検査回路と、
前記基板上に形成された発光素子検査回路と、
を備え、
前記駆動素子検査回路は、前記複数の階調信号配線の各々に接続される複数の検査配線と、電圧源又は電流源を有する外部回路が接続可能にされた給電配線と、電流路の一端が前記各検査配線と接続され且つ前記電流路の他端が前記給電配線と接続された複数の読取スイッチと、前記各読取スイッチを選択する検査配線選択回路と、を有し、
前記発光素子検査回路は、前記複数の階調信号配線の各々に接続される複数の第１配線と、前記外部回路の電圧源又は前記電流源と接続可能にされた第２配線と、前記外部回路の前記電圧源と接続可能にされた第３配線と、電流路の一端が前記第１配線と接続され且つ前記電流路の他端が前記第２配線と接続された出力制御スイッチと、を有し、
前記給電配線が前記外部回路に接続されたとき、前記検査配線選択回路は前記複数の読取スイッチの何れかを選択し、前記外部回路から、前記給電配線と、前記選択された前記読取スイッチと、前記検査配線と、前記階調信号配線と、を介して、前記駆動素子の電流路に電流を流し、
前記第２配線が前記外部回路の前記電圧源又は前記電流源と接続され、前記第３配線が前記外部回路の前記電圧源と接続されたとき、前記外部回路から、前記第２配線と、前記出力制御スイッチと、前記検査配線と、前記階調信号配線と、を介して前記駆動素子の電流路に電流を流して、発光素子を発光させることを特徴とする駆動回路アレイ基板。
【請求項６】
基板上に形成された第１の方向に延在された複数の制御信号配線と、
前記基板上に形成され、第１の方向と異なる第２の方向に延在された複数の階調信号配線と、
前記基板上に形成され、前記各制御信号配線と前記各階調信号配線の交点近傍に配列された複数の画素と、
前記基板上に形成された検査回路と、
を備え、
前記各画素は、駆動素子と、電流路の一端が前記駆動素子の電流路の一端と接続され且つ前記電流路の他端が前記階調信号配線と接続される選択素子と、を有する駆動回路を備え、
前記検査回路は、前記複数の階調信号配線の各々に接続される複数の検査配線と、電圧源又は電流源を有する外部回路が接続可能にされた給電配線と、電流路の一端が前記各検査配線と接続され且つ前記電流路の他端が前記給電配線と接続された複数の読取スイッチと、前記各読取スイッチを順次選択する検査配線選択回路と、を有し、
前記外部回路を前記給電配線に接続して、前記検査配線選択回路により前記複数の読取スイッチの何れかを選択し、
前記外部回路から、前記給電配線と、前記選択された前記読取スイッチと、前記検査配線と、前記階調信号配線と、を介して、前記駆動素子の電流路に電流を流し、
前記外部回路において前記給電配線に流れる電流の電流値又は前記給電配線の電圧の電圧値を計測して、前記駆動素子の電気的特性を検査する特性検査工程を含むことを特徴とする駆動回路アレイ基板の検査方法。
【請求項７】
前記各画素は、前記駆動素子から電流が供給されたときに発光する発光素子を備え、
前記第２配線を前記外部回路の前記電圧源又は前記電流源と接続し、
前記第３配線を前記外部回路の前記電圧源と接続し、
前記外部回路から、前記第２配線と、前記出力制御スイッチと、前記検査配線と、前記階調信号配線と、を介して前記駆動素子の電流路に電流を流して前記発光素子を発光させて、前記各画素の前記発光素子の発光特性を検査する点灯検査工程を含むことを特徴とする請求項６に記載の駆動回路アレイ基板の検査方法。
【手続補正７】
【補正対象書類名】図面
【補正対象項目名】図３Ａ
【補正方法】変更
【補正の内容】
【図３Ａ】
2010231187.tif 000001
【手続補正８】
【補正対象書類名】図面
【補正対象項目名】図３Ｂ
【補正方法】変更
【補正の内容】
【図３Ｂ】
2010231187.tif 000002
【手続補正９】
【補正対象書類名】図面
【補正対象項目名】図９
【補正方法】変更
【補正の内容】
【図９】
2010231187.tif 000003